(57)【要約】【課題】少人数で効率よく、かつ、安全にケーブル等の索を布設できる延線ガイド装置を提供する。【解決手段】二重床２を床下から支える筋金物３に着脱自在に取り付けられる取付部４と、該取付部４に設けられ延線すべき索５を長手方向移動自在に案内するガイド部６とを備えた延線ガイド装置１であって、上記取付部４が、上記筋金物３に形成された穴８に挿抜自在に挿通される挿通部９と、該挿通部９を上記穴８内に挿通させておくための抜け止め手段１０とを備えたものである。【選択図】　　　　図１
2004112881.tif 000002
【特許請求の範囲】
【請求項１】
二重床を床下から支える筋金物に着脱自在に取り付けられる取付部と、該取付部に設けられ延線すべき索を長手方向移動自在に案内するガイド部とを備えた延線ガイド装置であって、上記取付部が、上記筋金物に形成された穴に挿抜自在に挿通される挿通部と、該挿通部を上記穴内に挿通させておくための抜け止め手段とを備えたことを特徴とする延線ガイド装置。
【請求項２】
上記挿通部はロッド状に形成され、上記抜け止め手段は上記挿通部に交差方向に突出して取り付けられる係止片からなる請求項１記載の延線ガイド装置。
【請求項３】
上記取付部は上記挿通部を複数有し、上記係止片は上記複数の挿通部に跨って取り付けられる請求項２記載の延線ガイド装置。
【発明の詳細な説明】
【０００１】
【発明の属する技術分野】
本発明は、二重床の床下にケーブル等の索を布設するに際して長手方向に引かれる索を案内する延線ガイド装置に関するものである。
【０００２】
【従来の技術】
交換機等に接続するための通信線、電源線及び接地線等のケーブルの束を通信施設などの二重床（上床）の床下に布設する場合、ロープなどの紐を所定の配線経路に沿って延びるように配置したのち、この紐の一端をこれらケーブルの束の先端側に結びつけ、紐を介してケーブルの束を引き込むことで延線作業を行っている。
【０００３】
このとき、曲がり角等配線経路が屈曲する位置においてはケーブルが引っ掛かり易いため、適宜ケーブルの引き込み経路を規制するようにロープを張ったり、洞道用ローラを適宜工夫して設置するなどしてケーブルをなるべく引っ掛けないようにしていた。
【０００４】
【特許文献１】
特開平６−３５１１２０号公報
【特許文献２】
特開平１０−４６１６号公報
【０００５】
【発明が解決しようとする課題】
しかしながら、ロープや洞道用ローラによる急ごしらえのガイドではケーブルの束を円滑に案内することは難しく、被覆を痛めるおそれがあると共に信頼性に欠け、かつ、ロープや洞道用ローラをうまく設置できない場所もあるため、配線経路が屈曲する位置にはケーブルをさばくための人員をそれぞれ配置する必要があった。そして、配置された人員は、二重床の床板パネルを外した開口から手を突っ込んでケーブルの送りを手伝わなければならず、無理な姿勢での作業を強いられるという課題があった。
【０００６】
そこで、本発明の目的は、上記課題を解決し、少人数で効率よく、かつ、安全にケーブル等の索を布設できる延線ガイド装置を提供することにある。
【０００７】
【課題を解決するための手段】
上記目的を達成するために本発明は、二重床を床下から支える筋金物に着脱自在に取り付けられる取付部と、該取付部に設けられ延線すべき索を長手方向移動自在に案内するガイド部とを備えた延線ガイド装置であって、上記取付部が、上記筋金物に形成された穴に挿抜自在に挿通される挿通部と、該挿通部を上記穴内に挿通させておくための抜け止め手段とを備えたものである。
【０００８】
配線経路上に延線ガイド装置を容易に設置でき、配線経路が屈曲する位置に配置していた人員を省くことができ、少人数で効率よく、かつ、安全に索を布設できる。
【０００９】
上記挿通部はロッド状に形成され、上記抜け止め手段は上記挿通部に交差方向に突出して取り付けられる係止片からなるとよい。
【００１０】
上記取付部は上記挿通部を複数有し、上記係止片は上記複数の挿通部に跨って取り付けられるとよい。
【００１１】
【発明の実施の形態】
本発明の好適実施の形態を添付図面に基づいて詳述する。
【００１２】
図１は延線ガイド装置を用いて二重床の床下にケーブルを延線している状態を示す斜視図である。図２は二重床を支える筋金物に延線ガイド装置を装着した状態を示す正面図である。図３は、延線ガイド装置の斜視図である。
【００１３】
図１に示すように、延線ガイド装置１は、二重床（上床）２を床下から支える筋金物３に着脱自在に取り付けられる取付部４と、取付部４に設けられ延線すべきケーブル又はケーブルの先端に結びつけた紐などの索５を長手方向に移動自在に案内するガイド部６とからなる。
【００１４】
図１及び図２に示すように、取付部４は、通信施設で広く用いられている二重床構造に対応するように形成されており、鉄板を屈曲させて枠体状に形成された基部７と、基部７に設けられ後述する筋金物３に形成された穴８に挿抜自在に挿通される挿通部９と、挿通部９を穴８内に挿通させておくための抜け止め手段たるロックピン（係止片）１０とからなる。
【００１５】
上述の二重床構造は、建物の床１１上に起立して設けられる長板状又は断面Ｌ字型の筋金物３と、筋金物３上に掛け渡すように設けられる枠材（図示せず）と、枠材上に縦横に整列して載置される床板パネル１２とを備えて構成されている。筋金物３には軽量化等のための穴８が上下方向に所定の等間隔を隔てて複数形成されている。
【００１６】
図２及び図３に示すように、基部７は、挿通部９が設けられた基端側へ向けてテーパ状に幅を窄めるように形成されており、筋金物３に干渉しないようになっている。
【００１７】
挿通部９は、ロッド状に形成されており、基部７に二つ、筋金物３の穴８同士のピッチと同じ間隔を隔てて平行に設けられている。また、挿通部９は、断面形状を筋金物３の穴８と同じ円形に形成されており、軸方向の中間位置に当該軸と交差する方向（直交方向）に延びロックピン１０を挿通させるための貫通穴１３を有する。具体的には、貫通穴１３はそれぞれ他方の挿通部９へ向けて延びるように形成されており、互いに同軸上に位置されるようになっている。貫通穴１３の位置は、基部７とロックピン１０との間に筋金物３を挟めるように基部７から筋金物３の板厚相当の長さ離間した位置に決定されている。そして、挿通部９は突端側を窄めるように形成されており、筋金物３の穴８に容易に入るようになっている。
【００１８】
ロックピン１０は、貫通穴１３に挿通されるロッド部１４と、ロッド部１４の一端に設けられ貫通穴１３への挿通を規制する頭部１５とからなる。ロッド部１４は、２つの挿通部９の間隔よりも軸方向の長さを長く形成されており、２つの挿通部９を串刺し状に貫くようになっている。すなわち、挿通部９をそれぞれ筋金物３の穴８に挿通させたのち上側の挿通部９の貫通穴１３にロックピン１０を上方から挿通させ、頭部１５を挿通部９上に着座させることによりロックピン１０は上下両方の挿通部９を貫通してそれぞれの挿通部９から交差方向に突出されるようになっている。
【００１９】
頭部１５は、ロッド部１４から拡径して形成される鍔部１６に板状のつまみ部１７を設けてなるものであり、つまみ部１７を持って取り扱うようになっている。鍔部１６は軸方向から見て円盤の外周を直線状に一部切り欠いた形状に形成されており、この切り欠いた部分を基部７へ向けて貫通穴１３に挿通することで基部７に干渉しないようになっている。つまみ部１７には紐（図示せず）を通すための紐穴１８が形成されており、この紐を介してロックピン１０を基部７に連結するようになっている。
【００２０】
ガイド部６は、基部７に一体に設けられ後述するローラ１９，２０，２１を軸支するための固定枠２２と、固定枠２２に両端を軸支され上下方向に延びる基端側縦ローラ１９と、基端側縦ローラ１９の上端部に一部をラップさせるように固定枠２２に一端を軸支され基端側縦ローラ１９と直交する方向（水平方向）に延びる上側横ローラ２０と、基端側縦ローラ１９の下端部に一部をラップさせるように固定枠２２に一端を軸支され上側横ローラ２０と平行に延びる下側横ローラ２１と、下側横ローラ２１の先端側に軸回り回動自在に設けられ径方向に延びる可動枠２４と、可動枠２４に両端を軸支された先端側縦ローラ２３と、先端側縦ローラ２３の両端を上側横ローラ２０と下側横ローラ２１にラップさせる位置で可動枠２４を留めるためのロック機構２５とからなる。
【００２１】
ローラ１９，２０，２１，２３は、それぞれ固定枠２２又は可動枠２４に固定された支軸２６の外周にベアリング（図示せず）を介して回転自在に設けられており、支軸２６の回りを円滑に回転するようになっている。ローラ１９，２０，２１，２３はそれぞれ軸方向の長さを同じに形成されており、ロック機構２５で可動枠２４を留めたときに正面視矩形枠状に配置されるようになっている。そしてこの矩形枠内に索５を通すことで索５を長手方向移動自在に案内するようになっている。
【００２２】
ロック機構２５は、先端側縦ローラ２３を支持する支軸２６の先端側に形成され先端側縦ローラ２３から突出されるネジ部２７と、ネジ部２７の基端側に先端側縦ローラ２３の端面（図示せず）を覆うように設けられた受座２８と、ネジ部２７に螺合され手で直接回すための手回しナット２９と、可動枠２４に形成され可動枠２４を所定の留め位置に回動させたときにネジ部２７をかわす切欠３０とで構成されており、可動枠２４を所定の留め位置に回動させて手回しナット２９を締め込むことにより可動枠２４を受座２８との間に挟んで留めるようになっている。
【００２３】
また、可動枠２４の切欠３０が開放される側には先端側へ適宜の角度屈曲されてなる返し部３１が形成されており、手回しナット２９が多少緩んでも返し部３１が手回しナット２９に当たって可動枠２４の回動を規制するようになっている。
【００２４】
次に作用を述べる。
【００２５】
二重床２の床下に通信線、電源線及び接地線などのケーブル（図示せず）を延線する場合、まず配線経路が屈曲する位置の床板パネル１２を外し、露出される筋金物３に延線ガイド装置１を取り付ける。
【００２６】
延線ガイド装置１の取り付けは、筋金物３の穴８に挿通部９をそれぞれ根本まで挿入し、それぞれの挿通部９の貫通穴１３にロックピン１０を串刺し状に挿通するだけで完了である。
【００２７】
具体的には、筋金物３の穴８に挿通部９を根本まで挿入することで貫通穴１３は筋金物３の裏側に露出される。貫通穴１３は上下に延びているため、ロックピン１０のつまみ部１７を持って貫通穴１３へ向けて下ろす。ロックピン１０は鍔部１６を挿通部９上に着座させることで係止され、挿通部９は抜け方向の移動を規制される。貫通穴１３は基部７から筋金物３の板厚相当の長さ離間した位置に形成されているため、筋金物３を基部７とロックピン１０との間に挟むことができ、筋金物３に延線ガイド装置１をしっかりと固定することができる。また、貫通穴１３にロックピン１０を上方から挿通するため、貫通穴１３の開口とロックピン１０とを上方から目視しながら容易に取付作業を行うことができる。そして、ロックピン１０を持つ手は装置本体側を支える手ほど床板パネル１２を外した開口から深く入れる必要がないため、肘を適度に曲げた比較的余裕のある姿勢で取付作業を行うことができる。
【００２８】
全ての延線ガイド装置１を取り付けたら、ケーブルの束の先端側に結びつけた索（紐）５を延線経路に沿ってそれぞれの延線ガイド装置１のガイド部６（ローラ１９，２０，２１，２３で形成される矩形枠）内に通し、索５を引き込む。ケーブルの束は、索５に追従してガイド部６内に入り、ガイド部６のローラ１９，２０，２１，２３によって円滑に案内される。そして、ケーブルの束はそれぞれ配線経路が屈曲する位置で延線ガイド装置１に円滑に案内されるため、延線経路上で引っ掛かることはなく、延線経路上にケーブルをさばくための人員を配置しなくとも少人数で容易にケーブルの束を引き込むことができる。
【００２９】
ケーブルの束を所定の位置まで引き込んだら、索５を外し、ケーブルをそれぞれ所定の交換機３２等に接続する。
【００３０】
この後、ケーブルの束を各延線ガイド装置１から外し、各延線ガイド装置１を筋金物３から取り外す。延線ガイド装置１からケーブルを外す場合、図３に示すように延線ガイド装置１の手回しナット２９を緩めてロック機構２５を解舒し、可動枠２４を下側横ローラ２１の支軸２６回り回動させる。これにより先端側縦ローラ２３が可動枠２４と共に下方へ回動し、ガイド部６の先端側がコ字状に開放される。ケーブルの束をガイド部６の先端側へ向けて移動させるだけで容易に延線ガイド装置１から外すことができる。延線ガイド装置１を筋金物３から取り外す場合、ロックピン１０を上方へ引き抜き、挿通部９を筋金物３の穴８から引き抜く。
【００３１】
このように、筋金物３に形成された穴８に挿抜自在に挿通される挿通部９と、挿通部９を筋金物３の穴８内に挿通させておくための抜け止め手段（ロックピン１０）とを備えて延線ガイド装置１を構成したため、二重床２の床下にケーブルをガイドする装置を確実に設置することができる。そしてこのことから、配線経路が屈曲する位置にケーブルをさばくための人員を配置する必要はなくなり、少人数で効率よく、かつ、安全にケーブルを布設できる。また、ケーブルを安定して円滑に案内できることからケーブルの被覆を傷めることもない。
【００３２】
そして、抜け止め手段を、挿通部９に交差方向に突出して取り付けられるロックピン１０としたため、簡易な構造で確実に挿通部９の抜け方向の移動を規制することができる。
【００３３】
また、取付部４は挿通部９を複数有し、ロックピン１０を複数の挿通部９に跨って取り付けられるものとしたため、筋金物３に取付部４を強固に、かつ、簡単に取り付けることができる。
【００３４】
そして、各挿通部９にロックピン１０を上方から下向（鉛直下方）に挿通させるように挿通部９を形成したため、挿通部９にロックピン１０を容易に着脱できる。
【００３５】
また、筋金物３に延線ガイド装置１を取り付けたとき、一対の挿通部９が上下（鉛直方向）に離間されるものとしたため、ケーブルの重さを安定して支えることができる。そして、延線ガイド装置１の先端側を下方に押す力に対しては比較的強度を得やすいため、延線ガイド装置１を軽量なものに形成できる。
【００３６】
なお、挿通部９に貫通穴１３を形成し、貫通穴１３内にロックピン１０を挿通するものとしたがこれに限るものではない。例えば図４に示すように、挿通部３３を両側に上下に延びる溝３４を有するものとし、これら溝３４にＵ字状の係止片３５を嵌め入れるようにしてもよい。
【００３７】
また、それぞれの挿通部９にロックピン１０を挿通するものとしたが、いずれか一方のみであっても構わない。この場合、上側に位置される挿通部９にロックピン（図示せず）を挿通することが好ましい。
【００３８】
そして更に、抜け止め手段は、挿通部（図示せず）に螺合されるナット（図示せず）であっても構わない。
【００３９】
【発明の効果】
以上要するに本発明によれば、次のような優れた効果を奏する。
（１）ケーブル等の索布設に要する人員を削減できる。
（２）効率よく索を布設できる。
（３）安全に索を布設できる。
【図面の簡単な説明】
【図１】本発明の好適実施の形態を示す二重床の床下に設置した延線ガイド装置の斜視図である。
【図２】二重床を支える筋金物に取り付けた延線ガイド装置の正面図である。
【図３】延線ガイド装置の斜視図である。
【図４】他の実施の形態を示す延線ガイド装置の要部拡大図である。
【符号の説明】
１　延線ガイド装置
２　二重床
３　筋金物
４　取付部
５　索
６　ガイド部
８　穴
９　挿通部
１０　ロックピン（抜け止め手段、係止片）
３５　係止片
【図１】
2004112881.tif 000003
【図２】
2004112881.tif 000004
【図３】
2004112881.tif 000005
【図４】
2004112881.tif 000006